(57)【要約】      （修正有）【課題】外力が作用しても外れにくいエレベータ用ドア装置を得る。【解決手段】エレベータホール乗降口の上方部に配置されたヘッダーケース１の昇降路側に設けられたハンガーレール２上を水平方向に転動するハンガーローラー３を介して懸架した第一、第二のドアハンガー４，５と、第一、第二のドアハンガー４，５の各々の下端面に取着された第一、第二のホールドアパネル６，７とから構成され、水平方向に移動可能な第一、第二のホールドアにおいて、第一、第二のドアハンガー４，５に取着され、断面形状が釣り針状で長手部が上向きに突出した係合部を有する第一、第二の係合部材８，９の各々の係合部が、前記ヘッダーケース１に取着され下向きに突出した被係合部材１０と係合する時、ハンガーローラー３とハンガーレール２の係り代より、第一、第二の係合部材との高さ方向のクリアランスを小さくする。【選択図】図１
2011084385.tif 000002
【特許請求の範囲】
【請求項１】
エレベータホールに設けられ、エレベータが上昇・下降する昇降路内に通じる乗降口の上方部に配置されたヘッダーケースと、
このヘッダーケースの前記昇降路側であって水平方向に設けられたハンガーレールと、
このハンガーレール上に載置されて水平方向に転動するハンガーローラーを有し、前記ハンガーローラーを介して前記ハンガーレールから懸架した第一、第二のドアハンガーと、
前記第一のドアハンガーの下端面に取着され、ホール出入口を開閉する第一のホールドアパネルと、
前記第二のドアハンガーの下端面に取着され、ホール出入口を開閉する第二のホールドアパネルと、
前記第一のドアハンガーと前記第一のホールドアパネルを有し、前記ハンガーローラーが前記ハンガーレール上に乗ることで、水平方向に移動可能に懸架された第一のホールドアと、
前記第二のドアハンガーと前記第二のホールドアパネルを有し、前記ハンガーローラーが前記ハンガーレール上に乗ることで、水平方向に移動可能に懸架された第二のホールドアと、
断面形状が釣り針状で長手部が前記第一のドアハンガーに取着され、上向きに突出した係合部を有した第一の係合部材と、
断面形状が釣り針状で長手部が前記第二のドアハンガーに取着され、上向きに突出した係合部を有した第二の係合部材と、
前記第一の係合部材の係合部および第二の係合部材の係合部と係合可能に下向きに突出した係合部を有し、係合時、前記ハンガーローラーと前記ハンガーレールの係り代より、前記第一、第二の係合部材との高さ方向のクリアランスが小さくなる位置で前記ヘッダーケースに取着された被係合部材と、
を備えたことを特徴とするエレベータ用ドア装置。
【請求項２】
前記第一、第二の係合部材と前記被係合部材は、ドア戸閉時に係合する位置に設けられていることを特徴とする請求項１記載のエレベータ用ドア装置。
【請求項３】
エレベータホールに設けられ、エレベータが上昇・下降する昇降路内に通じる乗降口の上方部に配置されたヘッダーケースと、
このヘッダーケースの前記昇降路側であって水平方向に設けられたハンガーレールと、
このハンガーレール上に載置されて水平方向に転動するハンガーローラーを有し、前記ハンガーローラーを介して前記ハンガーレールから懸架した第一、第二のドアハンガーと、
前記第一のドアハンガーの下端面に取着され、ホール出入口を開閉する第一のホールドアパネルと、
前記第二のドアハンガーの下端面に取着され、ホール出入口を開閉する第二のホールドアパネルと、
前記第一のドアハンガーと前記第一のホールドアパネルを有し、前記ハンガーローラーが前記ハンガーレール上に乗ることで、水平方向に移動可能に懸架された第一のホールドアと、
前記第二のドアハンガーと前記第二のホールドアパネルを有し、前記ハンガーローラーが前記ハンガーレール上に乗ることで、水平方向に移動可能に懸架された第二のホールドアと、
前記第一のドアハンガーに取着され、少なくともドア戸閉時に、前記第二のドアハンガーが前記ハンガーレールから外れるのを規制するように前記第二のドアハンガーに係合する第一の係合部材と、
前記第二のドアハンガーに取着され、少なくともドア戸閉時に、前記第一のドアハンガーが前記ハンガーレールから外れるのを規制するように前記第一のドアハンガーに係合する第二の係合部材と、
を備えたことを特徴とするエレベータ用ドア装置。
【請求項４】
エレベータホールに設けられ、エレベータが上昇・下降する昇降路内に通じる乗降口の上方部に配置されたヘッダーケースと、
このヘッダーケースの前記昇降路側であって水平方向に設けられたハンガーレールと、
このハンガーレール上に載置されて水平方向に転動するハンガーローラーを有し、前記ハンガーローラーを介して前記ハンガーレールから懸架した第一、第二のドアハンガーと、
前記第一のドアハンガーの下端面に取着され、ホール出入口を開閉する第一のホールドアパネルと、
前記第二のドアハンガーの下端面に取着され、ホール出入口を開閉する第二のホールドアパネルと、
前記第一のドアハンガーと前記第一のホールドアパネルを有し、前記ハンガーローラーが前記ハンガーレール上に乗ることで、水平方向に移動可能に懸架された第一のホールドアと、
前記第二のドアハンガーと前記第二のホールドアパネルを有し、前記ハンガーローラーが前記ハンガーレール上に乗ることで、水平方向に移動可能に懸架された第二のホールドアと、
前記第一のドアハンガーに取着され、少なくともドア戸閉時に、第二のドアハンガーを挟み込むように係合する第一、第二の係合部材と、
を備えたことを特徴とするエレベータ用ドア装置。
【請求項５】
エレベータホールに設けられ、エレベータが上昇・下降する昇降路内に通じる乗降口の上方部に配置されたヘッダーケースと、
このヘッダーケースの前記昇降路側であって水平方向に設けられたハンガーレールと、
このハンガーレール上に載置されて水平方向に転動するハンガーローラーを有し、前記ハンガーローラーを介して前記ハンガーレールから懸架した第一、第二のドアハンガーと、
前記第一のドアハンガーの下端面に取着され、ホール出入口を開閉する第一のホールドアパネルと、
前記第二のドアハンガーの下端面に取着され、ホール出入口を開閉する第二のホールドアパネルと、
前記第一のドアハンガーと前記第一のホールドアパネルを有し、前記ハンガーローラーが前記ハンガーレール上に乗ることで、水平方向に移動可能に懸架された第一のホールドアと、
前記第二のドアハンガーと前記第二のホールドアパネルを有し、前記ハンガーローラーが前記ハンガーレール上に乗ることで、水平方向に移動可能に懸架された第二のホールドアと、
前記第二のドアハンガーに取着され、少なくともドア戸閉時に、第一のドアハンガーを挟み込むように係合する第一、第二の係合部材と、
を備えたことを特徴とするエレベータ用ドア装置。
【発明の詳細な説明】
【技術分野】
【０００１】
本発明は、エレベータ用ドア装置に関するものである。
【背景技術】
【０００２】
ドア戸閉時にもかかわらず、エレベータ用ドアに、何らかの外力が作用してドアが傾いたり、外れたりすることは、エレベータの利用者にとって、非常に危険である。そこで、何らかの外力が作用しても、ドアが外れにくくしたエレベータ用ドア装置が提案されている（例えば、特許文献１参照。）。
【０００３】
これは、出入口の上方部に設けられたハンガーケースと、ハンガーケースに水平方向に敷設されたハンガーレールと、ハンガーレールに載置されて水平方向に転動するハンガーローラが上部に取り付けられたハンガープレートと、ハンガープレートの下部に取り付けられ、出入口を開閉するエレベータドアと、ハンガープレートの上端部をハンガーケースの天井付近まで延長して形成された延長部に取り付けられ、ドアが傾いた時に、ハンガーケース内面に当接してドアの傾きを阻止する傾き阻止用ストッパーとを備えたものである。
【先行技術文献】
【特許文献】
【０００４】
【特許文献１】特開２００６−１３７５１８号公報
【発明の概要】
【発明が解決しようとする課題】
【０００５】
従来技術では、エレベータ用ドアが上方に持ち上げられたり、外力が作用してたわんだりした場合には、ドアの外れを防止するには、不十分なことがあった。
【０００６】
そこで、本発明は上記した点に鑑みてなされたもので、確実にエレベータ用ドアの外れを防止して、エレベータ利用者の安全を確保できるエレベータ用ドア装置を得ることを目的とする。
【課題を解決するための手段】
【０００７】
本発明の一態様によれば、エレベータホールに設けられ、エレベータが上昇・下降する昇降路内に通じる乗降口の上方部に配置されたヘッダーケースと、このヘッダーケースの前記昇降路側であって水平方向に設けられたハンガーレールと、このハンガーレール上に載置されて水平方向に転動するハンガーローラーを有し、前記ハンガーローラーを介して前記ハンガーレールから懸架した第一、第二のドアハンガーと、前記第一のドアハンガーの下端面に取着され、ホール出入口を開閉する第一のホールドアパネルと、前記第二のドアハンガーの下端面に取着され、ホール出入口を開閉する第二のホールドアパネルと、前記第一のドアハンガーと前記第一のホールドアパネルを有し、前記ハンガーローラーが前記ハンガーレール上に乗ることで、水平方向に移動可能に懸架された第一のホールドアと、前記第二のドアハンガーと前記第二のホールドアパネルを有し、前記ハンガーローラーが前記ハンガーレール上に乗ることで、水平方向に移動可能に懸架された第二のホールドアと、断面形状が釣り針状で長手部が前記第一のドアハンガーに取着され、上向きに突出した係合部を有した第一の係合部材と、断面形状が釣り針状で長手部が前記第二のドアハンガーに取着され、上向きに突出した係合部を有した第二の係合部材と、前記第一の係合部材の係合部および第二の係合部材の係合部と係合可能に下向きに突出した係合部を有し、係合時、前記ハンガーローラーと前記ハンガーレールの係り代より、前記第一、第二の係合部材との高さ方向のクリアランスが小さくなる位置で前記ヘッダーケースに取着された被係合部材と、を備えたことを特徴とするエレベータ用ドア装置が提供される。
【０００８】
また、本発明の別の一態様によれば、エレベータホールに設けられ、エレベータが上昇・下降する昇降路内に通じる乗降口の上方部に配置されたヘッダーケースと、このヘッダーケースの前記昇降路側であって水平方向に設けられたハンガーレールと、このハンガーレール上に載置されて水平方向に転動するハンガーローラーを有し、前記ハンガーローラーを介して前記ハンガーレールから懸架した第一、第二のドアハンガーと、前記第一のドアハンガーの下端面に取着され、ホール出入口を開閉する第一のホールドアパネルと、前記第二のドアハンガーの下端面に取着され、ホール出入口を開閉する第二のホールドアパネルと、前記第一のドアハンガーと前記第一のホールドアパネルを有し、前記ハンガーローラーが前記ハンガーレール上に乗ることで、水平方向に移動可能に懸架された第一のホールドアと、前記第二のドアハンガーと前記第二のホールドアパネルを有し、前記ハンガーローラーが前記ハンガーレール上に乗ることで、水平方向に移動可能に懸架された第二のホールドアと、前記第一のドアハンガーに取着され、少なくともドア戸閉時に、前記第一のドアハンガーに取着され、少なくともドア戸閉時に、前記第二のドアハンガーが前記ハンガーレールから外れるのを規制するように前記第二のドアハンガーに係合する第一の係合部材と、前記第二のドアハンガーに取着され、少なくともドア戸閉時に、前記第一のドアハンガーが前記ハンガーレールから外れるのを規制するように前記第一のドアハンガーに係合する第二の係合部材と、を備えたことを特徴とするエレベータ用ドア装置が提供される。
【０００９】
また、本発明の別の一態様によれば、エレベータホールに設けられ、エレベータが上昇・下降する昇降路内に通じる乗降口の上方部に配置されたヘッダーケースと、このヘッダーケースの前記昇降路側であって水平方向に設けられたハンガーレールと、このハンガーレール上に載置されて水平方向に転動するハンガーローラーを有し、前記ハンガーローラーを介して前記ハンガーレールから懸架した第一、第二のドアハンガーと、前記第一のドアハンガーの下端面に取着され、ホール出入口を開閉する第一のホールドアパネルと、前記第二のドアハンガーの下端面に取着され、ホール出入口を開閉する第二のホールドアパネルと、前記第一のドアハンガーと前記第一のホールドアパネルを有し、前記ハンガーローラーが前記ハンガーレール上に乗ることで、水平方向に移動可能に懸架された第一のホールドアと、前記第二のドアハンガーと前記第二のホールドアパネルを有し、前記ハンガーローラーが前記ハンガーレール上に乗ることで、水平方向に移動可能に懸架された第二のホールドアと、前記第一のドアハンガーに取着され、少なくともドア戸閉時に、第二のドアハンガーを挟み込むように係合する第一、第二の係合部材と、を備えたことを特徴とするエレベータ用ドア装置が提供される。
【発明の効果】
【００１０】
本発明によれば、確実にエレベータ用ドアの外れを防止して、エレベータ利用者の安全を確保できる。
【図面の簡単な説明】
【００１１】
【図１】本発明の第１の実施形態に係るエレベータ用ドア装置の要部の構造を示す斜視図である。
【図２】図１に示す要部の縦断面図である。
【図３】第２の実施形態に係るエレベータ用ドア装置の要部の構造を示す斜視図である。
【００１２】
である。
【図４】第３の実施形態に係るエレベータ用ドア装置の要部の構造を示す斜視図である。
【発明を実施するための形態】
【００１３】
以下、本発明の一実施の形態について、図面を参照して説明する。
【００１４】
（第１の実施形態）
第１の実施形態について、図１及び図２を用いて説明する。図１（ａ）は、本実施形態に係るエレベータ用ドア装置の要部の構造を示す斜視図である。図１（ｂ）は、要部の部分拡大図である。図２は、図１に示す要部の縦断面図である。
【００１５】
エレベータホールに、エレベータが上昇・下降する昇降路内に通じ、利用者が乗降するための乗降口が設けられている。昇降路内に位置し、乗降口の上方部にはヘッダーケース１が配置されている。図１（ａ）に示すように、ヘッダーケース１の昇降路側には、ハンガーレール２が水平方向に設けられている。
【００１６】
ハンガーレール２上に載置されて水平方向に転動するハンガーローラー３を有した第一のドアハンガー４と第二のドアハンガー５が、ハンガーローラー３を介してハンガーレール２から懸架している。したがって、第一のドアハンガー４と第二のドアハンガー５は、ハンガーローラー３によって、水平方向にスライド（移動）可能になっている。
【００１７】
第一のドアハンガー４の下端面には、ホール出入口を開閉する第一のホールドアパネル６が取り付けられている。また、第二のドアハンガー５の下端面には、ホール出入口を開閉する第二のホールドアパネル７が取り付けられている。
【００１８】
第一のホールドアは、第一のドアハンガー４と第一のホールドアパネル６から構成されている。第一のホールドアは、ハンガーローラー３がハンガーレール２上に乗ることで、水平方向に移動可能に懸架されている。
【００１９】
同様に、第二のホールドアは、第二のドアハンガー５と第二のホールドアパネル７から構成されている。第二のホールドアは、ハンガーローラー３がハンガーレール２上に乗ることで、水平方向に移動可能に懸架されている。
【００２０】
断面形状が釣り針状で、上向きに突出した係合部８ａを有した第一の係合部材８が、釣り針状の長手部において第一のドアハンガー４に取着されている。
【００２１】
また、断面形状が釣り針状で、上向きに突出した係合部９ａを有した第二の係合部材９が、釣り針状の長手部において第二のドアハンガー５に取着されている。
【００２２】
本実施形態においては、図２に示すように、ヘッダーケース１において、ハンガーレール２よりも下方に、第一の係合部材８の係合部８ａおよび第二の係合部材９の係合部９ａと係合可能に下向きに突出した係合部１０ａを有した被係合部材１０が配設されている。図２に示すように、被係合部材１０が、第一の係合部材８、第二の係合部材９の折り曲げ部にそれぞれ、嵌まり込んでいる。さらに、係合時、図２に示すように、ハンガーローラー３とハンガーレール２の係り代Ａより、第一の係合部材８、第二の係合部材９との高さ方向のクリアランスＢ、Ｃが小さくなるように、被係合部材１０の位置を設定している。
【００２３】
本実施形態によれば、エレベータ用ドアが上方に持ち上げられたり、力が作用してドアパネルがたわんだりした場合であっても、ドアパネルが係止部分から外れることがないので、利用者が、昇降路内に転落するような危険を未然に防止することができる。
【００２４】
（第２の実施形態）
次に、第２の実施形態について図３を用いて説明する。図３は、第２の実施形態に係るエレベータ用ドア装置の要部の構造を示す斜視図で、図３（ａ）は、ドア戸閉の途中を示し、図３（ｂ）は、ドア戸閉時を示している。
【００２５】
エレベータホールに、エレベータが上昇・下降する昇降路内に通じ、利用者が乗降するための乗降口が設けられている。昇降路内に位置し、乗降口の上方部にはヘッダーケース１が配置されている。図３に示すように、ヘッダーケース１の昇降路側には、ハンガーレール２が水平方向に設けられている。
【００２６】
ハンガーレール２上に載置されて水平方向に転動するハンガーローラー３を有した第一のドアハンガー４と第二のドアハンガー５が、ハンガーローラー３を介してハンガーレール２から懸架している。したがって、第一のドアハンガー４と第二のドアハンガー５は、ハンガーローラー３によって、左右方向にスライド（移動）可能になっている。
【００２７】
第一のドアハンガー４の下端面には、ホール出入口を開閉する第一のホールドアパネル６が取り付けられている。また、第二のドアハンガー５の下端面には、ホール出入口を開閉する第二のホールドアパネル７が取り付けられている。
【００２８】
第一のホールドアは、第一のドアハンガー４と第一のホールドアパネル６から構成されている。第一のホールドアは、ハンガーローラー３がハンガーレール２上に乗ることで、水平方向に移動可能に懸架されている。
【００２９】
同様に、第二のホールドアは、第二のドアハンガー５と第二のホールドアパネル７から構成されている。第二のホールドアは、ハンガーローラー３がハンガーレール２上に乗ることで、水平方向に移動可能に懸架されている。
【００３０】
第二のドアハンガー５に係合する第一の係合部材１１が、第一のドアハンガー４に設けられている。また、第一のドアハンガー４に係合する第二の係合部材１２が、第二のドアハンガー５に設けられている。したがって、第一の係合部材１１はハンガーレール２上に乗った第二のドアハンガー５がハンガーレール２から外れるのを規制し、第二の係合部材１２はハンガーレール２上に乗った第一のドアハンガー４がハンガーレール２から外れるのを規制する。第一の係合部材１１、第二の係合部材１２は、少なくとも戸閉時に係合して、互いに、一方のドアハンガーの動きを規制すれば十分である。したがって、ホールドアパネル６，７の横幅寸法の略全体に亘るような外形サイズの大きな部材である必要はない。
【００３１】
本実施形態によれば、簡素な構造でありながら、一方のドアパネルに外力が作用して外れそうになっても、他方のドアパネルと係合状態にあるので、外力を２枚のドアパネルで受け止め、確実に脱落防止を実現することができる。
【００３２】
（第３の実施形態）
次に、第３の実施形態について図４を用いて説明する。図４は、第３の実施形態に係るエレベータ用ドア装置の要部の構造を示す斜視図で、図４（ａ）は、ドア戸閉の途中を示し、図４（ｂ）は、ドア戸閉時を示している。
【００３３】
エレベータホールに、エレベータが上昇・下降する昇降路内に通じ、利用者が乗降するための乗降口が設けられている。昇降路内に位置し、乗降口の上方部にはヘッダーケース１が配置されている。図４に示すように、ヘッダーケース１の昇降路側には、ハンガーレール２が水平方向に設けられている。
【００３４】
ハンガーレール２上に載置されて水平方向に転動するハンガーローラー３を有した第一のドアハンガー４と第二のドアハンガー５が、ハンガーローラー３を介してハンガーレール２から懸架している。したがって、第一のドアハンガー４と第二のドアハンガー５は、ハンガーローラー３によって、水平方向にスライド（移動）可能になっている。
【００３５】
第一のドアハンガー４の下端面には、ホール出入口を開閉する第一のホールドアパネル６が取り付けられている。また、第二のドアハンガー５の下端面には、ホール出入口を開閉する第二のホールドアパネル７が取り付けられている。
【００３６】
第一のホールドアは、第一のドアハンガー４と第一のホールドアパネル６から構成されている。第一のホールドアは、ハンガーローラー３がハンガーレール２上に乗ることで、水平方向に移動可能に懸架されている。
【００３７】
同様に、第二のホールドアは、第二のドアハンガー５と第二のホールドアパネル７から構成されている。第二のホールドアは、ハンガーローラー３がハンガーレール２上に乗ることで、水平方向に移動可能に懸架されている。
【００３８】
図４に示すように、第二のドアハンガー５には、第一の係合部材１３と、第二の係合部材１４が設けられている。戸閉時には、第一の係合部材１３と第二の係合部材１４とで形成される隙間に、第一のドアハンガー４が挟み込まれるようになっている。尚、第一の係合部材１３と第二の係合部材１４を第一のドアハンガー４に設け、戸閉時には、第一の係合部材１３と第二の係合部材１４とで形成される隙間に、第二のドアハンガー５が挟み込まれるようになってもよい。第一の係合部材１３、第二の係合部材１４は、少なくとも戸閉時に、他方のドアハンガーの動きを規制すれば十分である。したがって、ホールドアパネル６，７の横幅寸法の略全体に亘るような外形サイズの大きな部材である必要はない。
【００３９】
第３の実施形態においても、簡素な構造でありながら、一方のドアパネルに外力が作用して外れそうになっても、他方のドアパネルと係合状態にあるので、外力を２枚のドアパネルで受け止め、確実に脱落防止を実現することができる。
【００４０】
なお、本発明は上記の実施形態のそのままに限定されるものではなく、実施段階ではその要旨を逸脱しない範囲で構成要素を変形して具体化できる。また、上記の実施形態に開示されている複数の構成要素の適宜な組み合わせにより、種々の発明を形成できる。例えば、実施形態に示された全構成要素から幾つかの構成要素を削除してもよい。さらに、異なる実施形態にわたる構成要素を適宜組み合わせてもよい。
【符号の説明】
【００４１】
１…ヘッダーケース
２…ハンガーレール
３…ハンガーローラー
４…第一のドアハンガー
５…第二のドアハンガー
６…第一のホールドアパネル
７…第二のホールドアパネル
８，１１，１３…第一の係合部材
９，１２，１４…第二の係合部材
１０…被係合部材
【図１】
2011084385.tif 000003
【図２】
2011084385.tif 000004
【図３】
2011084385.tif 000005
【図４】
2011084385.tif 000006